(57)【要約】【課題】  浄化に先立ち、混合処理機を用いて地中のＶＯＣ濃度を地上で測定する方法、およびこの測定方法を利用した土壌および地下水を浄化する方法を提供することにある。【解決手段】  混合処理機を用いて地中のＶＯＣ濃度を地上で測定する方法は、ＶＯＣにより汚染された土壌および地下水の原位置浄化に先立ち、浄化剤（材）を土中に攪拌混合する混合処理機を土中に貫入し、所定の深度において混合処理機に備えたＶＯＣ回収器から土にマイクロ波を照射し、照射面の土から揮発したＶＯＣのガスをＶＯＣ回収器に取り込み、ガスの濃度を測定する。土壌および地下水の原位置浄化方法は、上述のＶＯＣにより汚染された土壌および地下水の原位置測定方法を行った後、次いで、測定に基づいて混合処理機により所定量の浄化剤（材）を吐出し、攪拌混合する。【選択図】    図１
2005164279.tif 000002
【特許請求の範囲】
【請求項１】
揮発性有機化合物により汚染された土壌および地下水の原位置浄化に先立ち、浄化剤（材）を土中に攪拌混合する混合処理機を土中に貫入し、所定の深度において前記混合処理機に備えた揮発性有機化合物回収器から土にマイクロ波を照射し、照射面の土から揮発した揮発性有機化合物のガスを前記揮発性有機化合物回収器に取り込み、前記ガスの濃度を測定することを特徴とする揮発性有機化合物により汚染された土壌および地下水の原位置測定方法。
【請求項２】
揮発性有機化合物により汚染された土壌および地下水の原位置浄化に先立ち、浄化剤（材）を土中に攪拌混合する混合処理機を土中に貫入し、所定の深度において前記混合処理機に備えた揮発性有機化合物回収器から土にマイクロ波を照射し、照射面の土から揮発した揮発性有機化合物のガスを前記揮発性有機化合物回収器に取り込み、前記ガスを地上側に吸引し、前記ガスの濃度を測定することを特徴とする揮発性有機化合物により汚染された土壌および地下水の原位置測定方法。
【請求項３】
前記マイクロ波の照射は、少なくとも前記混合攪拌機の貫入時または引き上げ時に行われることを特徴とする請求項１または請求項２記載の揮発性有機化合物により汚染された土壌および地下水の原位置測定方法。
【請求項４】
前記揮発性有機化合物回収器は、前記混合処理機の非回転部に取り付けられていることを特徴とする請求項１ないし請求項３の何れか１項記載の揮発性有機化合物により汚染された土壌および地下水の原位置測定方法。
【請求項５】
請求項１ないし請求項４の何れか１項記載の揮発性有機化合物により汚染された土壌および地下水の原位置測定方法を行った後、次いで、前記測定に基づいて前記混合処理機により所定量の浄化剤（材）を吐出し、攪拌混合することを特徴とする揮発性有機化合物により汚染された土壌および地下水の原位置浄化方法。
【請求項６】
揮発性有機化合物により汚染された土壌および地下水の原位置浄化に先立ち、浄化剤（材）を土中に攪拌混合する混合処理機を土中に貫入し、所定の深度において前記混合処理機に備えた揮発性有機化合物回収器から土にマイクロ波を照射し、照射面の土から揮発した揮発性有機化合物のガスを前記揮発性有機化合物回収器に取り込み、前記ガスの濃度を測定し、次いで、前記攪拌混合機の引き上げ時に前記測定に基づいて前記混合処理機により所定量の浄化剤（材）を吐出し、攪拌混合することを特徴とする揮発性有機化合物により汚染された土壌および地下水の原位置浄化方法。
【請求項７】
揮発性有機化合物により汚染された土壌および地下水の原位置浄化に先立ち、浄化剤（材）を土中に攪拌混合する混合処理機を土中に貫入し、所定の深度において前記混合処理機に備えた揮発性有機化合物回収器から土にマイクロ波を照射し、照射面の土から揮発した揮発性有機化合物のガスを前記揮発性有機化合物回収器に取り込み、地上側に前記ガスを吸引し、前記ガスの濃度を測定し、次いで、前記攪拌混合機の引き上げ時に前記測定に基づいて前記混合処理機により所定量の浄化剤（材）を吐出し、攪拌混合することを特徴とする揮発性有機化合物により汚染された土壌および地下水の原位置浄化方法。
【請求項８】
マイクロ波照射面にスリットを設けた容器本体と、この容器本体内に設けた透過シートと、この透過シートを介して設けたガス回収室と、このガス回収室に設けたマイクロ波発射部とを備えたことを特徴とする揮発性有機化合物回収器。
【請求項９】
マイクロ波照射面に複数のゲートを設けた容器本体と、この容器本体内に設けた前記複数のゲートの開閉機構と、この開閉機構を介して設けたガス回収室と、このガス回収室に設けたマイクロ波発射部とを備えたことを特徴とする揮発性有機化合物回収器。
【請求項１０】
前記ガス回収室は、吸気回路および送気回路を介して地上側の測定器に連絡していることを特徴とする請求項８ないし請求項９のいずれか１項記載の揮発性有機化合物回収器。
【請求項１１】
前記ガス回収室は、前記ガスの濃度を測定する装置を備え、その結果を地上側へ連絡することを特徴とする請求項９記載の揮発性有機化合物回収器。
【発明の詳細な説明】
【技術分野】
【０００１】
本発明は、揮発性有機化合物（以下、ＶＯＣと称する）により汚染された土壌および地下水の原位置測定方法およびこれを利用した原位置浄化方法並びにこれらに用いるＶＯＣ回収器に関する。
【背景技術】
【０００２】
ＶＯＣにより汚染された土壌や地下水の浄化工法として、汚染土をバックホーやオールケーシング工法により掘削して地上で処理する方法と、原位置で処理する工法とがある。
一般に、地上での処理の場合は、土壌汚染の深度が浅い場合であり、原位置処理の場合は、土壌汚染の深度が深い場合が多い。原位置での処理法としては、例えば、図１３に示すように、地盤改良技術を参考に、浄化剤（材）を地盤中に注入あるいは混合あるいは置換して使用することが多い。
【０００３】
例えば、金属系還元剤を利用した透過性浄化壁による対策法（例えば、特許文献１参照）、浄化剤（材）を圧送して浄化する方法（例えば、特許文献２参照）、ハロゲン化有機化合物を含む汚染物質で汚染された地下水の浄化方法（例えば、特許文献３参照）、水素供与体を供給してＶＯＣを微生物の作用で分解する方法（例えば、特許文献４参照）、オゾンや過マンガン酸カリウム、過酸化水素などの酸化剤に使用による方法（例えば、特許文献５参照）などが提案されている。
【特許文献１】特許第３２１６０１４号公報
【特許文献２】特開平１１−７７０１８号公報
【特許文献３】特開２００１−３４７２８０号公報
【特許文献４】特開２０００−１０７７４３号公報
【特許文献５】特開２０００−３０１１７２号公報
【特許文献６】特開平１１−２４２０２０号公報
【特許文献７】特開２００１−２１９１５６号公報
【特許文献８】特許第３３８４４５３号公報
【特許文献９】特許第３４２０９４９号公報
【特許文献１０】特公平７−８６３０１号公報
【特許文献１１】特開２００２−１２２５８８号公報
【特許文献１２】特許第３３６９１１１号公報
【特許文献１３】特開２００３−１８５５４０号公報
【特許文献１４】特開平６−２２２０５４号公報
【特許文献１５】特開平９−２０６７３２号公報
【特許文献１６】特開２００３−１０３２４９号公報
【非特許文献１】「ＣＰＴ（コーン貫入試験）手法による土壌汚染調査手法の開発」土木学会誌、Vol.88 No.9 2003 pp50-pp52
【非特許文献２】「ＶＯＣにより汚染された土壌のＭＩＰによる染調査手法」第３８回地盤工学研究発表会（秋田）2003年７月 pp2277-pp2278
【発明の開示】
【発明が解決しようとする課題】
【０００４】
しかし、上記のような浄化剤（材）を原位置で混合するには、以下のような問題がある。
ＶＯＣによる汚染は、地盤中で複雑に分布しているため、事前調査に基づいて浄化剤（材）量を設定しても、事前調査では把握しきれなかった局部的に高濃度の部分（原液溜まり）があった場合には、浄化が不十分となる。
【０００５】
ＶＯＣによる汚染は、地盤中で複雑に分布しているため、事前調査で得られたＶＯＣ濃度の最大値を基にして浄化剤（材）量の設定が為されることも多く、不経済であった。
汚染が広範囲に分散している場合、全面にわたってボーリング調査を行った後に各種の浄化工事を行う必要があり、調査に拘わる費用が莫大となる。
以上のことから、従来の技術では地盤中の汚染物質の濃度に応じた浄化剤（材）量の確実なまた経済的な設定は困難である。そこで、浄化剤（材）を用いて浄化工事を確実にそして経済的に行うには、まず処理機を貫入させ、その際に深度方向のＶＯＣ濃度をあらかじめ測定した上で、原位置浄化処理を行う必要がある。
【０００６】
また、ＶＯＣ濃度の測定に関しては、以下のような技術が知られている。
大気中のＶＯＣの捕集管を用いた連続自動的測定に関する大気分析装置（例えば、特許文献６参照）があるが、混合処理と同時に測定を行うことは不可能である。
また、土壌もしくは地下水に含まれるＶＯＣを空気もしくは水と共に取り出すポンプと、取り出された空気もしくは水に含まれるＶＯＣを吸着もしくは分解させて空気もしくは水に含まれるＶＯＣを減衰させるＶＯＣ処理手段と、このＶＯＣ処理手段の入口、出口側の少なくとも一方に配置され、空気もしくは水に含まれるＶＯＣを測定するＶＯＣ測定装置と、このＶＯＣ測定装置の出力信号に基づいてポンプの回転を制御するＶＯＣ処理手段の監視システム（例えば、特許文献７参照）がある。しかし、粘性土の場合、土粒子に吸着したＶＯＣが移動せず、正確な濃度の把握は困難である。
【０００７】
また、ガスコレクターと呼ばれるサンプルワイヤー内蔵のガラス管を用いる土壌の調査法（栗田工業株式会社のフィンガープリント法）があるが、表層でのガス調査用であり、深度方向も含めた正確な汚染物質の濃度把握は困難である。
また、８０℃〜１２５℃に加熱できる５０ボルトの交流電源ヒーターと、気体のみ通過できるメンブレンを取り付けたコーンにより、土壌中のＶＯＣを吸引、気化して、窒素などの不活性のキャリアガスにより地上のガスクロマトグラフ分析装置へ運び、検知する計測機器（ＭＩＰ）がある（例えば、非特許文献１，２参照）。
【０００８】
ＭＩＰによる調査方法は、地盤調査のコーン試験機や小型ボーリング機械のジオプローブの先端にＭＩＰを取り付け、所定深度毎に測定する。このため、貫入力に限界があり、砂礫地盤では貫入不能になる。
一般には、地盤調査と浄化工事を連続して行うことはない。この調査によるＶＯＣ分布を整理した上で浄化工事を計画し、工事を行う。仮に、この調査に続いて原位置浄化工事を行うというサイクルとすれば、非効率な作業となる。
【０００９】
原位置調査機器のため、機器の大きさ（直径）にはおのずと限界がある。このため、吸入口は直径1ｃｍと小さく、測定は局所的になる（２〜３ｃｍの範囲）。
ところで、ＶＯＣで汚染された地盤の詳細なＶＯＣ濃度を調査するためには、汚染の平面エリアをグリッドに切って調査地点を定め、その地点でのボーリング、サンプリング、ガス濃度測定がなされる。この調査には、多大な費用がかかる。また、ＶＯＣ汚染の特徴として、ＶＯＣの原液はその地盤を空間的に構成する各土要素の粒度組成や密度その他の土質性状に敏感に対応して決まる変化に富んだ移動経路をたどる。従って、上記の詳細な調査を行ったとしても、得られた結果と実際のＶＯＣの濃度分布が異なることは決して珍しいことではない。
【００１０】
一方、浄化剤（材）を用いてＶＯＣの汚染地盤を浄化する場合、ＶＯＣの濃度に応じた浄化剤（材）量を添加する。しかしながら、上記の事前の調査の空間的なＶＯＣ濃度の精度に限界があることから、実際には、例えば、調査におけるＶＯＣの最大濃度に対する浄化剤（材）量を浄化対象エリア全域に適用すると、浄化剤（材）は不要な空間に無駄な浄化剤（材）を用いたことになる。また、調査に忠実に従った場合には実際にはＶＯＣの高濃度の空間に低めの濃度を想定して必要量より少なめの浄化剤（材）量を添加してしまい、浄化の目標値をクリアーできないリスクが生じる。また、浄化剤（材）によっては高濃度（原液またはそれに近い濃度のもの）と低濃度のＶＯＣ汚染を浄化するのに浄化期間が大きく異なる場合があり、このため、例えば、高濃度の空間領域だけでもその存在を明らかにすることが望まれている。
【００１１】
なお、特許文献８には、ＶＯＣ処理手段の入り口と出口にて測定をおこない、この結果に応じて土壌もしくは地下水に含まれるＶＯＣを空気とともに取り出すポンプの出力を変化させるＶＯＣ処理手段の監視システムに関する発明が開示されている。しかし、特許文献８では、土中を掘削しながらＶＯＣを測定することはできない。また、掘削と同時にこの方法を用いるとしても、ＶＯＣの多くは土粒子に吸着しているため、ポンプによって取り出せるＶＯＣの量はごく僅かである。
【００１２】
また、特許文献９には、微生物、微生物の栄養やその活性化のためのインデューサの供給を目的とした土壌浄化装置および汚染土壌の修復方法に関する発明が開示されている。しかし、特許文献９では、微生物を用いたバイオレメディエーションの手法としては非常に優れたものであるが、全ての汚染物質を微生物で浄化できるわけではない。
また、特許文献１０には、汚染領域に所定深さの井戸を複数穿設し、各井戸に検知センサーを設置し、各検知センサーの検知結果によって、地層単位毎の汚染状況を検知する地質汚染状況の検出方法および汚染物質の除去方法に関する発明が開示されている。しかし、特許文献１０では、所定深さの井戸を複数穿設する必要があり、対象地盤全域の汚染状況を検知するには現実的でない。
【００１３】
また、特許文献１１には、広範囲に渡る地下水の汚染具合をリアルタイムに測定するとともに、注意報や警報を発し汚染源に対する処置を促すＶＯＣ監視モニタリングシステムに関する発明が開示されている。しかし、特許文献１１では、測定したデータをネットワークで通信することに主眼をおいており、測定・掘削などの工法との関係に関する開示がない。
【００１４】
また、特許文献１２には、透過度等の透気性を評価する汚染地盤の浄化効果の評価法に関する発明が開示されている。しかし、特許文献１２では、２本の井戸（土壌ガス吸引井と土壌ガス観測用井）を設置する必要がある。
また、特許文献１３には、掘削した井戸の深度別に異なったガス導入管を用いる土壌ガス試料採取用機器ならびにこれを用いたガス試料採取方法およびガス分析方法に関する発明が開示されている。しかし、特許文献１３では、井戸を設置する手間がかかる上に、測定対象となる範囲が狭く、広大な敷地の汚染の場合、現実性がない。
【００１５】
また、特許文献１４には、一度掘削後に採取した土壌を簡易で測定する揮発性化合物を含有する汚染土壌の現場調査法および同現場調査用測定装置に関する発明が開示されている。しかし、特許文献１４では、正確な値を出せるものの、汚染状況に応じた対策を行うには手間がかかりすぎるという問題がある。
また、特許文献１５には、浄化剤（材）を原位置に混合し、未分解の汚染物質を反応熱により気化させる土壌浄化方法および装置に関する発明が開示されている。しかし、特許文献１５では、もとの汚染濃度を測定することを目的としたものではないため、浄化剤（材）の投入量が不明である。また、曝気井が混合装置と別に設けられており、その作成に費用がかかるという問題がある。
【００１６】
また、特許文献１６には、反応槽においてＶＯＣを効率よく除去するためにマイクロ波が使用されている。しかし、特許文献１６では、汚染された土壌の浄化のためにマイクロ波を使用するものであり、汚染土壌中のＶＯＣ濃度を測定するという技術はない。
本発明は斯かる従来の問題点を解決するために為されたもので、その目的は、浄化に先立ち、混合処理機を用いて地中のＶＯＣ濃度を地上で測定する方法を提供することにある。
【００１７】
本発明の別の目的は、この測定方法を利用した土壌および地下水を浄化する方法を提供することにある。
【課題を解決するための手段】
【００１８】
請求項１に係る発明は、ＶＯＣにより汚染された土壌および地下水の原位置浄化に先立ち、浄化剤（材）を土中に攪拌混合する混合処理機を土中に貫入し、所定の深度において混合処理機に備えたＶＯＣ回収器から土にマイクロ波を照射し、照射面の土から揮発したＶＯＣのガスをＶＯＣ回収器に取り込み、ガスの濃度を測定することを特徴とするＶＯＣにより汚染された土壌および地下水の原位置測定方法である。
【００１９】
請求項２に係る発明は、ＶＯＣにより汚染された土壌および地下水の原位置浄化に先立ち、浄化剤（材）を土中に攪拌混合する混合処理機を土中に貫入し、所定の深度において混合処理機に備えたＶＯＣ回収器から土にマイクロ波を照射し、照射面の土から揮発したＶＯＣのガスをＶＯＣ回収器に取り込み、ガスを地上側に吸引し、ガスの濃度を測定することを特徴とするＶＯＣにより汚染された土壌および地下水の原位置測定方法である。
【００２０】
請求項３に係る発明は、マイクロ波の照射は、少なくとも混合攪拌機の貫入時または引き上げ時に行われることを特徴とする請求項１または請求項２記載のＶＯＣにより汚染された土壌および地下水の原位置測定方法である。
請求項４に係る発明は、ＶＯＣ回収器は、混合処理機の非回転部に取り付けられていることを特徴とする請求項１ないし請求項３のいずれか１項記載のＶＯＣにより汚染された土壌および地下水の原位置測定方法である。
【００２１】
請求項５に係る発明は、請求項１ないし請求項４の何れか１項記載のＶＯＣにより汚染された土壌および地下水の原位置測定方法を行った後、次いで、測定に基づいて混合処理機により所定量の浄化剤（材）を吐出し、攪拌混合することを特徴とするＶＯＣにより汚染された土壌および地下水の原位置浄化方法である。
請求項６に係る発明は、ＶＯＣにより汚染された土壌および地下水の原位置浄化に先立ち、浄化剤（材）を土中に攪拌混合する混合処理機を土中に貫入し、所定の深度において混合処理機に備えたＶＯＣ回収器から土にマイクロ波を照射し、照射面の土から揮発したＶＯＣのガスをＶＯＣ回収器に取り込み、ガスの濃度を測定し、次いで、攪拌混合機の引き上げ時に測定に基づいて混合処理機により所定量の浄化剤（材）を吐出し、攪拌混合することを特徴とするＶＯＣにより汚染された土壌および地下水の原位置浄化方法である。
【００２２】
請求項７に係る発明は、ＶＯＣにより汚染された土壌および地下水の原位置浄化に先立ち、浄化剤（材）を土中に攪拌混合する混合処理機を土中に貫入し、所定の深度において混合処理機に備えたＶＯＣ回収器から土にマイクロ波を照射し、照射面の土から揮発したＶＯＣのガスをＶＯＣ回収器に取り込み、地上側にガスを吸引し、ガスの濃度を測定し、次いで、攪拌混合機の引き上げ時に測定に基づいて混合処理機により所定量の浄化剤（材）を吐出し、攪拌混合することを特徴とするＶＯＣにより汚染された土壌および地下水の原位置浄化方法である。
【００２３】
請求項８に係る発明は、マイクロ波照射面にスリットを設けた容器本体と、この容器本体内に設けた透過シートと、この透過シートを介して設けたガス回収室と、このガス回収室に設けたマイクロ波発射部とを備えたことを特徴とするＶＯＣ回収器である。
請求項９に係る発明は、マイクロ波照射面に複数のゲートを設けた容器本体と、この容器本体内に設けた前記複数のゲートの開閉機構と、この開閉機構を介して設けたガス回収室と、このガス回収室に設けたマイクロ波発射部とを備えたことを特徴とするＶＯＣ回収器である。
【００２４】
請求項１０に係る発明は、ガス回収室は、吸気回路および送気回路を介して地上側の測定器に連絡していることを特徴とする請求項８ないし請求項９のいずれか１項記載のＶＯＣ回収器である。
請求項１１に係る発明は、ガス回収室は、ガスの濃度を測定する装置を備え、その結果を地上側へ連絡することを特徴とする請求項１０記載のＶＯＣ回収器である。
【００２５】
本発明においては、多様な形態で土中に存在するＶＯＣで汚染された地盤を浄化剤（材）を用いて混合処理機によって浄化する際に、浄化に先立ち、地盤中でＶＯＣ回収部からマイクロ波を照射し、照射面の土から揮発したＶＯＣのガスをＶＯＣ回収部に取り込み、ＶＯＣ濃度を測定することができる。
また、本発明においては、混合処理機を用いて、浄化剤（材）を原位置でＶＯＣ汚染地盤に添加、混合する場合、まず、施工するその杭の対象領域（つまり、処理機の１回当たりの処理面積×全深度）にわたって、ＶＯＣ濃度を測定した上で浄化処理を行うことができる。
【発明の効果】
【００２６】
本発明によれば、各種の混合処理機を用いた原位置ＶＯＣの対策工事において、濃度測定を行いつつ、施工することによって、以下のような効果が期待できる。
汚染濃度に対応した浄化剤（材）を添加するために、汚染濃度の予測違いによる浄化の目標値をクリアできないリスクは生じない。
無駄な浄化剤（材）を使うことなく適切な添加量で施工ができることから材料費のコストダウンとなる。
【発明を実施するための最良の形態】
【００２７】
以下、本発明の実施形態を図面に基づいて説明する。
（第一実施形態）
本実施形態は、図１〜図５に示すように、地盤改良工事の深層混合処理工法あるいは山留め工事のソイル柱列工法において、深層混合処理機を用いて金属系還元剤または鉄粉を汚染土壌あるいは地下水に原位置で添加、混合してＶＯＣを浄化する際に、金属系還元剤または鉄粉を添加施工する前にＶＯＣ濃度を予め測定する方法である（請求項１，２，３，４に対応する）。なお、対象とする深層混合処理機は、地盤改良で用いるスラリー系処理機、粉体系処理機、山留め工事で用いるソイル柱列工法のスラリー系処理機がある。
【００２８】
次に、本実施形態に用いる深層混合処理機について説明する。
本実施形態に用いる深層混合処理機は、ベースマシン１と、ベースマシン１によって垂直に立てられたリーダー２およびガイドパイプ（図示せず）と、リーダー２およびガイドパイプ（図示せず）に沿って昇降する電動機ユニット３と、電動機ユニット３によって回転駆動される２本の長い攪拌軸４と、２本の攪拌軸４間に軸受けを介して固定した回収管固定部材５に取り付けた回収器６と、２本の攪拌軸４の先端部に設けた攪拌翼７とを有する。回収器６は、回収管固定部材５を介して固定されているため、回転しない。攪拌翼７は、掘削貫入の速度および施工深度は、リーダー２の下端部に設置した速度計、深度計で計測し、その計測値はＡ／Ｄ変換部を経て自動注入制御装置の中央制御装置（ＣＰＵ）へ入力される。
【００２９】
回収器６は、底付きの箱形形状の回収器本体６ａと、この回収器本体６ａ内面に貼着した透過シート６ｂと、この透過シート６ｂを介して設けたガス回収室６ｃと、このガス回収室６ｃに設けたマイクロ波発射部６ｄとを備えている（請求項８，１０に対応する）。回収器本体６ａの一側面には、マイクロ波照射面６ｅが形成されている。マイクロ波照射面６ｅは、マイクロ波を照射するための複数のスリット６ｆを設けている。ガス回収室６ｃは、吸気回路６ｇおよび送気回路６ｈを介して地上側のＰＩＤ式のＶＯＣガス連続測定装置８、送気ポンプ１１および吸引ポンプ９に連絡している。マイクロ波発射部６ｄは、ガス回収室６ｃに設けた信号線６ｉを介して地上側の制御器１２に連絡している。なお、透過シート６ｂは、水は通さないが気体は通すことができるマイクロ波透過型のシートであれば良く、特に限定するものではない。また、回収器本体６ａ内のマイクロ波発射部６ｄとガス回収室６ｃとの隔壁およびマイクロ波の照射面（土と接触する面）は耐熱ガラスや耐熱プラスティック、セラミックなどのマイクロ波を透過させる材料とする。
【００３０】
回収器６は、マイクロ波発射部６ｄから照射されたマイクロ波をスリット６ｆを介して回収器６の周囲に位置する土に対して照射し、この照射によって揮発した土中のＶＯＣガスを吸引ポンプ１１による吸引によりガス回収室６ｃ側へ吸引し、透過シート６ｂを介してガス回収室６ｃ内に導き、さらに吸気回路６ｇを介して地上側のＰＩＤ式のＶＯＣガス連続測定装置８へ導くことができる。
【００３１】
ＰＩＤ式のＶＯＣガス連続測定装置８は、吸気回路６ｇを介して送られるガスを測定するように構成されている。ＰＩＤ式のＶＯＣガス連続測定装置８は、小型で速い応答性という特徴を生かしてポータブルＶＯＣモニタおよび簡易な連続測定装置に展開されている既存技術である。この既存技術としては、例えば、「横河電機株式会社  連続ＶＯＣモニタ  ＶＭ５００」が挙げられる。ＰＩＤ式のＶＯＣガス連続測定装置８の測定可能な条件は、流量：２００〜３００ｍＬ／ｍｉｎ、温度：５〜４０℃、圧力：大気圧である。検出装置には回収用配管から空気を引抜いて行う。また、簡易ＶＯＣ測定用のセンサー（「例えば新コスモス電機株式会社  ポータブル型ＴＶＯＣ検知器ＸＰ−３３９Ｖ」）などを回収器６内に設置することも可能である。ＰＩＤ式のＶＯＣガス連続測定装置８の後段には、汚染物質の濃度を測定されたガスを処理する処理槽１０が設けてある。
【００３２】
次に、本実施形態に係るＶＯＣにより汚染された土壌および地下水の原位置測定方法を説明する。
先ず、図１、図２、図４に示すように、攪拌翼７によって地盤を回転掘削しながら、または掘削土を攪拌しながら、回収器６からマイクロ波を土中に照射する。
同時に、回収器６に連絡する送気ポンプ１０および吸引ポンプ１１を作動する。これにより、マイクロ波の照射に伴って生成するＶＯＣが混入した気体を原位置で移動させ、回収器６のスリット６ｇを介してガス回収室６ｃ内に回収し、このガス回収室６ｃに連絡する吸気回路６ｇを介して地上側のＰＩＤ式のＶＯＣガス連続測定装置８へ導き、その濃度を測定する。ここで、測定された値は、例えば、図５に示すように、攪拌翼７の掘削貫入深度とＶＯＣ濃度との関係図として求められる。
【００３３】
この操作は、浄化杭１本１本に行うのが原則であるが、当初から明らかに高濃度のＶＯＣが存在しないことがわかっている場合には、複数の浄化杭に対して一本の測定とすることもある。
ここで、回収器６から照射されるマイクロ波により、汚染領域近傍の土粒子に吸着しているＶＯＣが土粒子から離れやすくなり、また、汚染領域近傍に空洞部分を形成し、汚染物質の一部を気体状にすることが可能となる。そして、移動性の高まったＶＯＣガスは、回収器６を介して吸引されることとなる。
【００３４】
この時、照射されるマイクロ波は、ＶＯＣ汚染土壌に多く存在し、土粒子に吸着しやすく、生分解性の低いｃｉｓ−ＤＣＥの沸点近傍まで土壌あるいは地下水を加熱できる強度とすることが望ましい。ＶＯＣ汚染の原因となる物質の沸点は、例えば、テトラクロロエエチレンが１２１℃、トリクロロエチレンが８６．７〜９℃、ｃｉｓ−１，２ジクロロエチレンが６０．３℃である。マイクロ波の照射による加熱により揮発と土粒子からの汚染物質の脱離を促進するためには、少なくとも雰囲気温度を４０℃以上にする必要がある。
【００３５】
一方、ＶＯＣ濃度の測定に際し、攪拌翼７を停止せず、攪拌翼７をゆっくり貫入または引き抜きをしながら判定する方式と、攪拌翼７を０．５〜２ｍおきに現位置で停止または回収しながら汚染状況を判定する方式とが選択できる。
また、地上の吸引ポンプ１１で吸引されたＶＯＣガスは、曝気式の水処理装置あるいは活性炭吸着式の水処理、排ガス装置などのＶＯＣ処理室１０によって処理される。
【００３６】
以上のように、本実施形態によれば、攪拌翼７の貫入時、または引き抜き時または停止した状態で、攪拌翼７に非回転状態に取り付けた回収器６からマイクロ波を土中に照射し、ＶＯＣを移動性の高まったガスを回収器６により吸引し、回収器６に連絡するＶＯＣガス連続測定装置８により、ＶＯＣ濃度を測定するので、対象汚染土壌のＶＯＣ濃度を確実に把握することが可能となる。
【００３７】
しかも、回収器６は、攪拌軸４に対して回転しないので、攪拌軸４の作動に影響を受けることなく、生成されたＶＯＣガスを確実に捕捉することが可能となる。加えて、回収器６が攪拌軸４とともに移動するので、ＶＯＣの汚染領域を的確に把握することができる。
（第二実施形態）
本実施形態は、第一実施形態におけるＶＯＣにより汚染された土壌および地下水の原位置測定方法を用いたＶＯＣにより汚染された土壌および地下水の原位置浄化方法である（請求項５，６に対応する）。
【００３８】
本実施形態では、図６、図７、図８に示すように、第一実施形態におけるＶＯＣにより汚染された土壌および地下水の原位置測定方法を用いて、攪拌翼７の貫入時にＶＯＣ濃度を測定する。そして、攪拌翼７の引き抜き時に、測定結果に基づいて浄化剤（材）（例えば、金属系還元剤または鉄粉、アルミニウム粉末、消石灰、生石灰、有機炭素系、過酸化水素水や過マンガン酸カリなどの酸化剤、増粘材（剤）、混和材（材）、固化材などであり、これら単独またはこれらを組み合わせ、粉体またはスラリーとしてものである。）と薬液などとを混ぜたスラリー状の浄化剤（材）を浄化剤（材）供給プラント１３で作り、これをスラリーポンプ１４でホース１５を介して攪拌翼７へ送り、攪拌翼７の先端部からスラリー状の浄化剤（材）を掘削土中に注入して攪拌混合処理し、原位置で汚染土壌の浄化、改良を行なう。
【００３９】
本実施形態において、攪拌翼７の掘削貫入の速度および施工深度は、リーダー２の下端部に設置した速度計、深度計で計測し、その計測値はＡ／Ｄ変換部を経て自動注入制御装置の中央制御装置（ＣＰＵ）へ入力される。浄化剤（材）は浄化剤（材）供給プラント１３で作り、これをスラリーポンプ１４で攪拌翼７へ送り注入する。浄化剤（材）の投入量は、図７に示すように、汚染物質の測定時に測定されたガス中の汚染物質の濃度に基づき、決められる。その輸送管の途中に設置した流量計で浄化剤（材）の注入量を計測し、その計測値はやはりＡ／Ｄ変換部を経て自動注入制御装置の中央制御装置へ入力される。中央制御装置は、前記の計測値と、汚染物質の測定結果により予め設定された決められている浄化剤（材）の注入量とに基づいて、結果を自動注入制御操作盤へ送り、測定結果と照らし合わせた上で、スラリーポンプ１４の吐出量が制御される。なお、ここでいう自動注入制御装置や中央制御装置は一般的に用いられているものである。
【００４０】
以上のように、本実施形態によれば、攪拌翼７の貫入時にＶＯＣ濃度を測定し、攪拌翼７の引き抜き時に測定結果、高濃度のＶＯＣが確認された深度で浄化剤（材）を噴射することができるので、掘削する原位置におけるＶＯＣ濃度を的確に把握し、その結果に応じて浄化剤（材）を含む浄化剤（材）を噴射することができる。
（第三実施形態）
本実施形態は、第一実施形態におけるＶＯＣにより汚染された土壌および地下水の原位置測定方法を用いたＶＯＣにより汚染された土壌および地下水の原位置浄化方法である（請求項５，７に対応する）。
【００４１】
本実施形態では、図９に示すように、攪拌翼７の一度目の往復では回収器６からマイクロ波を照射し、汚染濃度を測定しながら地盤を攪拌混合し、一度目の往復で得られた測定結果に基づいて、二度目の往復で浄化剤（材）を注入、攪拌混合する。
ここで、汚染物質の濃度と浄化剤（材）の使用量については、実汚染土壌を用いた事前試験を元に決定する。汚染物質の一部が移動している可能性を考慮し、安全率をふまえた量を注入、攪拌混合する。
【００４２】
以上のように、本実施形態によれば、ＶＯＣにより汚染された土壌および地下水の原位置測定方法と、これに基づく測定結果に従ったＶＯＣにより汚染された土壌および地下水の原位置浄化方法とを、それぞれ分離して行えるので、ＶＯＣで汚染された土壌を確実に浄化することが可能となる。
（第四実施形態）
本実施形態は、開閉機構を設けた回収器６Ａを用いた点で、第一実施形態ないし第三実施形態とは相違する。
【００４３】
回収器６Ａは、図１０ないし図１２に示すように、底付きの箱形形状の回収器本体６０ａと、複数のゲート６０ｃを有し、回収器本体６０ａの一側面に設けたマイクロ波照射面６０ｂと、回収器本体６０ａの内側に位置し、各ゲート６０ｃをそれぞれ栓６０ｅにより開閉する開閉機構６０ｄと、この開閉機構６０ｄを介して設けたガス回収室６０ｆと、このガス回収室６０ｆに設けたマイクロ波発射部６０ｇとを備えている（請求項９，１０に対応する）。なお、ガス回収室６０ｆとマイクロ波発射部６０ｇとの隔壁およびマイクロ波照射面６０ｂの土と接触する面側は、耐熱ガラスや耐熱プラスティック、セラミックなどのマイクロウエーブを透過させる材料とする。
【００４４】
開閉機構６０ｄは、各ゲート６０ｃと、各ゲート６０ｃをそれぞれ開閉する栓６０ｅと、各栓６０ｅの落下を防止するストッパー６０ｈと、ガス回収室６０ｆから成る圧力室６０ｉと、ガス回収室６０ｆに連絡する送気回路６０ｊおよび送気回路６０ｊに連絡する送気ポンプ１１から成る加圧手段６０ｋと、ガス回収室６０ｆに連絡する吸気回路６０ｌおよび吸気回路６０ｌに連絡する吸引ポンプ９から成る吸引手段６０ｍにより構成されている。
【００４５】
開閉機構６０ｄは、所定の深度に達するまでは、加圧手段６０ｋによって圧力室６０ｉの圧力を高めておく。したがって、各栓６０ｅが各ゲート６０ｃ内に嵌り込み、各ゲート６０ｃを閉じた状態にし、ガス回収室６０ｆ内へ土の侵入を防ぐ。そして、深層混合処理機が所定の深度に達すると、加圧手段６０ｋを停止し、吸引手段６０ｍを駆動して、加圧室６０ｉの圧力を減圧し、各ゲート６０ｃ内に嵌り込んでいる各栓６０ｅをストッパー６０ｈ方向へ引き込み、その後、マイクロ波発射部６０ｇから照射されるマイクロ波を各ゲート６０ｃから土に向かって照射できるようにする。そして、マイクロ波照射により土からＶＯＣガスを揮発させる。地上の吸引ポンプ９での吸引による気体の流れにより、各ゲート６０ｃは開き揮発したＶＯＣガスは各ゲート６０ｃからガス回収室６０ｆ内に入り、さらに地上のＰＩＤ式のＶＯＣガス連続測定装置８に向けて移動する。
【００４６】
なお、開閉機構６０ｄの動作は、加圧手段６０ｋおよび吸引手段６０ｍを交互に操作することによって、任意の深度において行うことが可能となる。また、マイクロ波発射部６０ｇは、上記各実施形態と同様に、信号線６０ｎを介して地上側の制御器１２に連絡している。
本実施形態においても、第一実施形態ないし第三実施形態と同様の作用効果を奏することができる。
【００４７】
なお、上記各実施形態において、回収器６，６Ａでは、回収したＶＯＣガスを地上側へ送る方法を取ったが、ガス回収室６ｃ，６０ｆにガス濃度を測定する機器を設け、その結果を地上側へ連絡するようにしても良い（請求項１１に対応する）。
【図面の簡単な説明】
【００４８】
【図１】本発明の第一実施形態に係るＶＯＣにより汚染された土壌および地下水の原位置測定方法を示す説明図である。
【図２】本発明の第一実施形態に係るＶＯＣにより汚染された土壌および地下水の原位置測定方法に用いる深層混合処理機を示す説明図である。
【図３】図２における回収器の拡大図である。
【図４】図３における回収器の断面図である。
【図５】本発明の第一実施形態に係るＶＯＣにより汚染された土壌および地下水の原位置測定方法によって得られたＶＯＣ濃度と攪拌翼の深度との関係を示す図である。
【図６】本発明の第二実施形態に係るＶＯＣにより汚染された土壌および地下水の原位置浄化方法を示す説明図である。
【図７】本発明の第二実施形態に係るＶＯＣにより汚染された土壌および地下水の原位置浄化方法を示す説明図である。
【図８】本発明の第二実施形態に係るＶＯＣにより汚染された土壌および地下水の原位置浄化方法を示す説明図である。
【図９】本発明の第三実施形態に係るＶＯＣにより汚染された土壌および地下水の原位置浄化方法を示す説明図である。
【図１０】本発明の第四実施形態に係る回収器を示す拡大図である。
【図１１】図１０の回収器の作用を説明図である。
【図１２】図１１の要部を示す拡大図である。
【図１３】従来の深層混合処理機を用いたＶＯＣにより汚染された土壌および地下水の原位置浄化方法を示す説明図である。
【符号の説明】
【００４９】
１  ベースマシン
２  リーダー
３  電動機ユニット
４  攪拌軸
５  回収管固定部材（軸受け）
６，６Ａ  回収器
７  攪拌翼
８  ＶＯＣガス連続測定装置
９  吸引ポンプ
６ａ，６０ａ  回収器本体
６ｂ  透過シート
６ｃ，６０ｆ  ガス回収室
６ｄ，６０ｇ  マイクロ波発射部
６ｅ，６０ｂ  マイクロ波照射面
６ｆ  スリット
６ｇ，６０ｌ  吸気回路
６ｈ，６０ｊ  送気回路
６ｉ  信号線
１０  処理槽
１１  送気ポンプ
１２  制御器
６０ｃ  ゲート
６０ｄ  開閉機構
６０ｅ  栓
６０ｈ  ストッパー
６０ｉ  圧力室
６０ｋ  加圧手段
６０ｍ  吸引手段
【図１】
2005164279.tif 000003
【図２】
2005164279.tif 000004
【図３】
2005164279.tif 000005
【図４】
2005164279.tif 000006
【図５】
2005164279.tif 000007
【図６】
2005164279.tif 000008
【図７】
2005164279.tif 000009
【図８】
2005164279.tif 000010
【図９】
2005164279.tif 000011
【図１０】
2005164279.tif 000012
【図１１】
2005164279.tif 000013
【図１２】
2005164279.tif 000014
【図１３】
2005164279.tif 000015